【手続補正書】
【提出日】平成28年6月29日(2016.6.29)
【手続補正１】
【補正対象書類名】特許請求の範囲
【補正対象項目名】全文
【補正方法】変更
【補正の内容】
【特許請求の範囲】
【請求項１】
予め定めた撮影条件および予め定めた撮影シーケンスに従って、静磁場の中に置かれた被検体に高周波磁場および傾斜磁場を印加して、前記被検体から発生するエコー信号を計測するエコー計測部と、
計測した前記エコー信号から再構成画像を得る画像再構成部と、
前記エコー計測部および前記画像再構成部を制御する制御部と、を備え、
前記制御部は、前記撮影シーケンス毎に定める信号関数を用いて前記被検体に依存する被検体パラメータの分布を推定するパラメータ推定部を備え、
前記信号関数は、前記撮影条件、前記撮影シーケンス、および前記被検体パラメータと、前記再構成画像の各ピクセル値との関係を定めた関数であり、
前記パラメータ推定部は、前記撮影条件を変えて前記撮影シーケンスを実行してそれぞれ得られた前記再構成画像と、当該撮影シーケンスの前記信号関数とから、前記被検体パラメータの分布を推定し、
前記撮影シーケンスは、２つの連続した前記高周波磁場の照射の間に印加される傾斜磁場の時間積分値がゼロとなるグラディエントエコー系の撮影シーケンスであり、
前記被検体パラメータは、基準周波数との差である共鳴周波数差を含むこと
を特徴とする磁気共鳴イメージング装置。
【請求項２】
請求項１記載の磁気共鳴イメージング装置であって、
前記制御部は、推定した前記被検体パラメータの分布から、当該被検体の所望の画像を生成する画像生成部をさらに備えること
を特徴とする磁気共鳴イメージング装置。
【請求項３】
請求項１記載の磁気共鳴イメージング装置であって、
前記制御部は、数値シミュレーションによって前記信号関数を生成する信号関数生成部をさらに備えること
を特徴とする磁気共鳴イメージング装置。
【請求項４】
請求項２記載の磁気共鳴イメージング装置であって、
前記画像生成部は、前記共鳴周波数差の分布から、位相画像および磁化率画像の少なくとも一方を生成すること
を特徴とする磁気共鳴イメージング装置。
【請求項５】
請求項２記載の磁気共鳴イメージング装置であって、
前記被検体パラメータは、縦緩和時間および横緩和時間を含み、
前記画像生成部は、推定した前記縦緩和時間の分布および前記横緩和時間の分布と、所定の撮影シーケンスの前記信号関数とを用い、任意のコントラストの画像を生成すること
を特徴とする磁気共鳴イメージング装置。
【請求項６】
請求項５記載の磁気共鳴イメージング装置であって、
前記任意のコントラストの画像を生成する際に用いる信号関数は、前記被検体パラメータの分布を推定した前記撮影シーケンスとは異なる撮影シーケンスの信号関数であること
を特徴とする磁気共鳴イメージング装置。
【請求項７】
請求項３記載の磁気共鳴イメージング装置であって、
前記信号関数生成部は、複数の異なる前記撮影条件および前記被検体パラメータの組み合わせそれぞれについて、前記数値シミュレーションを実行し、得られた結果を補間することにより、前記信号関数を生成すること
を特徴とする磁気共鳴イメージング装置。
【請求項８】
請求項３記載の磁気共鳴イメージング装置であって、
前記信号関数生成部は、前記数値シミュレーションにおいて、ブロッホの方程式を用いること
を特徴とする磁気共鳴イメージング装置。
【請求項９】
請求項１記載の磁気共鳴イメージング装置であって、
前記パラメータ推定部は、前記信号関数を用いて、装置固有のパラメータである装置パラメータの分布をさらに推定すること
を特徴とする磁気共鳴イメージング装置。
【請求項１０】
請求項９記載の磁気共鳴イメージング装置であって、
前記画像生成部は、前記推定した被検体パラメータの分布および装置パラメータの分布の少なくとも一部を調整し、前記信号関数に適用することにより、前記所望の画像を得ること
を特徴とする磁気共鳴イメージング装置。
【請求項１１】
請求項１記載の磁気共鳴イメージング装置であって、
前記被検体パラメータは、縦緩和時間と、横緩和時間と、スピン密度と、前記高周波磁場の照射強度分布との少なくとも１つをさらに含むこと
を特徴とする磁気共鳴イメージング装置。
【請求項１２】
請求項９記載の磁気共鳴イメージング装置であって、
前記装置パラメータは、磁場強度と、受信コイルの感度分布との少なくとも１つを含むこと
を特徴とする磁気共鳴イメージング装置。
【請求項１３】
請求項１記載の磁気共鳴イメージング装置であって、
前記撮影条件は、高周波磁場強度と、高周波磁場位相と、繰り返し時間とを含み、
前記パラメータ推定部は、前記撮影条件のうち、少なくとも１つの撮影条件を変えて前記再構成画像を得ること
を特徴とする磁気共鳴イメージング装置。
【請求項１４】
請求項１記載の磁気共鳴イメージング装置であって、
前記パラメータ推定部は、前記被検体パラメータのうち、解析的に算出できない被検体パラメータについてのみ、前記被検体パラメータの分布を推定すること
を特徴とする磁気共鳴イメージング装置。
【請求項１５】
請求項１４記載の磁気共鳴イメージング装置であって、
前記被検体パラメータは、高周波磁場の照射強度分布を含み、
前記パラメータ推定部は、前記高周波磁場の照射強度分布を、ＤＡＭ法（ｄｏｕｂｌｅ  ａｎｇｌｅ  ｍｅｔｈｏｄ）で求めること
を特徴とする磁気共鳴イメージング装置。
【手続補正２】
【補正対象書類名】明細書
【補正対象項目名】００１３
【補正方法】変更
【補正の内容】
【００１３】
具体的には、予め定めた撮影条件および予め定めた撮影シーケンスに従って、静磁場の中に置かれた被検体に高周波磁場および傾斜磁場を印加して、前記被検体から発生するエコー信号を計測するエコー計測部と、計測した前記エコー信号から再構成画像を得る画像再構成部と、前記エコー計測部および前記画像再構成部を制御する制御部と、を備え、前記制御部は、前記撮影シーケンス毎に定める信号関数を用いて前記被検体に依存する被検体パラメータの分布を推定するパラメータ推定部を備え、前記信号関数は、前記撮影条件、前記撮影シーケンス、および前記被検体パラメータと、前記再構成画像の各ピクセル値との関係を定めた関数であり、前記パラメータ推定部は、前記撮影条件を変えて前記撮影シーケンスを実行してそれぞれ得られた前記再構成画像と、当該撮影シーケンスの前記信号関数とから、前記被検体パラメータの分布を推定し、前記撮影シーケンスは、２つの連続した前記高周波磁場の照射の間に印加される傾斜磁場の時間積分値がゼロとなるグラディエントエコー系の撮影シーケンスであり、前記被検体パラメータは、基準周波数との差である共鳴周波数差を含むことを特徴とする磁気共鳴イメージング装置を提供する。
【手続補正３】
【補正対象書類名】明細書
【補正対象項目名】００２３
【補正方法】変更
【補正の内容】
【００２３】
これらの処理を実現するため、本実施形態の計算機１０９およびシーケンサ１０４は、図２に示すように、シーケンサ１０４により実現される、予め定めた撮影シーケンスに従って、静磁場の中に置かれた被検体１０３に高周波磁場および傾斜磁場を印加して、被検体１０３から発生するエコー信号を計測するエコー計測部２１０と、計算機１０９により実現される、計測した前記エコー信号から再構成画像を得る画像再構成部２２０と、エコー計測部２１０および画像再構成部２２０を含む装置全体の制御を行う制御部２３０と、を備える。
【手続補正４】
【補正対象書類名】明細書
【補正対象項目名】００３１
【補正方法】変更
【補正の内容】
【００３１】
［画像再構成部］
画像再構成部２２０は、エコー計測部２１０がｋ空間に配置したエコー信号に対し、逆フーリエ変換を行い、画像を再構成する。
【手続補正５】
【補正対象書類名】明細書
【補正対象項目名】００７７
【補正方法】変更
【補正の内容】
【００７７】
以上説明したように、本実施形態のＭＲＩ装置１００は、予め定めた撮影条件および予め定めた撮影シーケンスに従って、静磁場の中に置かれた被検体１０３に高周波磁場および傾斜磁場を印加して、前記被検体から発生するエコー信号を計測するエコー計測部２１０と、計測した前記エコー信号から再構成画像を得る画像再構成部２２０と、前記エコー計測部２１０および前記画像再構成部２２０を制御する制御部２３０と、を備え、前記制御部２３０は、前記撮影シーケンス毎に定める信号関数を用いて前記被検体１０３に依存する被検体パラメータの分布を推定するパラメータ推定部２３２を備え、前記信号関数は、前記撮影条件、前記撮影シーケンス、および前記被検体パラメータと、前記再構成画像の各ピクセル値との関係を定めた関数であり、前記パラメータ推定部２３２は、前記撮影条件を変えて前記撮影シーケンスを実行してそれぞれ得られた前記再構成画像と、当該撮影シーケンスの前記信号関数とから、前記被検体パラメータの分布を推定し、前記撮影シーケンスは、２つの連続した前記高周波磁場の照射の間に印加される傾斜磁場の時間積分値がゼロとなるグラディエントエコー系の撮影シーケンスであり、前記被検体パラメータは、基準周波数との差である共鳴周波数差を含む。